Podtech/llm-jp-corpus-v4-ja_patent huggingface dataset:
(57)【要約】      （修正有）【課題】ペットの飼い主の鎖等の絡まりを解く作業からの解放及びペットの安全かつペットのストレスのないペットの係留具を提供する。【解決手段】柱１の周囲にまわす大リング２と小リング３から構成され、小リング３は大リングの周囲を自由に回転でき、かつ、大リングも柱のまわりを自由に回転できる。小リングは鎖又は係留紐に繋ぎ、小リングとともに鎖も柱に絡みつくことなく回転できる装置とする。また、大リングと小リングは、ともに変形しない強度を持ち形状保持性を持つ。さらに、大リングと小リングが自由に回転出来れば真円、楕円形であってもよい。柱とは、建物の柱のみならずペット係留用に屋外や屋内に立てた人工の係留専用支柱であってもよい。【選択図】図２
2016042865.tif 000002
【特許請求の範囲】
【請求項１】
大リングと小リングから構成され、大リングは家屋の柱又は人工の支柱（ポール）（以下、両者を「柱」という）の周囲を水平旋回できるようにセットでき、小リングは、大リングの周囲を回転できるように大リングにセットでき、小リングは犬につなぐ鎖又は係留紐に繋ぐことが出来ることを特徴とするペット係留具。
【発明の詳細な説明】
【技術分野】
【０００１】  本発明は、ペットの飼い主の鎖等の絡まりを解く作業からの解放及びペットの安全かつペットのストレスのないペットの係留に関するものである。
【背景技術】
【０００２】  犬などのペットを鎖等で、柱に繋ぐ場合、柱に直接括りつけるため、柱に鎖等が巻きついて、犬などペットが、自由を失うことが頻発していた。また、その状況を飼い主が気が付かない時は犬、ペットは悲惨な状況に置かれていた。
【発明の概要】
【発明が解決しようとする課題】
【０００３】  従来、柱に直接鎖を繋ぐ場合、必ず犬などペットが柱に鎖を巻きつかせてしまい、動きが規制されてしまう。ペット自身に鎖が食い込みペットを負傷させたりするおそれもあった。
【課題を解決するための手段】
【０００４】  本発明は、次の手段を講じた。大リングと小リングからなり、小リングに鎖等を繋ぐため、小リングが大リングの廻りと自由に回転することが出来、ペット等の運動を妨げない。
【発明の効果】
【０００５】  本発明にかかわるリング状の係留金具で、小リングが大リングの周辺をすべり、これに繋ぐため、柱に絡まることがなく、ペット等が、定められた鎖等の長さの範囲内で自由に運動することができる。そして、この装置の作動によりペット等を安全に係留しておくことを可能にした。
【図面の簡単な説明】
【０００６】
【図１】本発明のペット係留具の説明図
【図２】本発明の大リングと小リングと柱の関係を示す図。
【発明を実施するための形態】
【発明の詳細な説明】
【０００７】  柱１の周囲にまわす大リング２と小リング３から構成され、小リング３は大リング２の周囲を自由に回転でき、かつ、大リング２も柱１のまわりを自由に回転できる。小リング３は鎖又は係留紐５に繋ぎ、小リング３とともに鎖５も柱１に絡みつくことなく回転できる装置である。また、大リング２と小リング３は、ともに変形しない強度を持ち形状保持性を持つことが望ましい。さらに、大リング３と小リング２が自由に回転出来れば真円、楕円形であってもよいが、真円であることが望ましい。ここで柱とは、建物の柱のみならずペット係留用に屋外や屋内に立てた人工の係留専用支柱であってもよい。
【符号の説明】
【０００８】１  柱    ２  大リング    ３  小リング    ４  犬    ５  鎖又は係留紐
【図１】
2016042865.tif 000003
【図２】
2016042865.tif 000004
(57)【要約】【技術課題】  安心、安全な有機農産物を従来農法より単位面積当り大量にかつ経済的に生産する方法であって、露地、ハウス、プランター、植木鉢など場所を選ばない方法を開発する事。【解決手段】  ｐＨ１３．０以上の高濃度電解水を現地の水道水、地下水で希釈したｐＨ１１．０以上のアルカリ性電解水を用いて、種の活性化、土壌の急速な変質を行うことによって解決を図る。【特許請求の範囲】
【請求項１】
ｐＨ１３．０以上の高濃度電解水を水道水又は地下水により希釈したｐＨ１１．０以上のアルカリ性電解水を用いて、安心、安全、美味な有機作物を従来農法と比較し大量にかつ安価に生産する方法。
【請求項２】
ａ）播種の前作業として種子をｐＨ１１．０〜１１．８に調整した高濃度アルカリ性電解水に１〜１０時間浸漬させる。
ｂ）播種の前作業として土壌にｐＨ１２．０〜１２．５に調整した高濃度アルカリ性電解水と有機肥料を混合したものを（土１ｋｇ当り１Ｌ以上）加え攪拌する。
ｃ）成長期にｐＨ１１．５に調整した高濃度アルカリ性水を数回、葉面散布又は根元に与える。
ｄ）除草、消毒、害虫駆除、化学肥料追肥などの手間のかかる農作業は一切行わない。
ｅ）その他は従来農法に準ずる。
【請求項３】
単位面積当たりの収穫量が大きいのでプランターや植木鉢、これに類する容器を利用して行う本格菜園の実施。
【発明の詳細な説明】
【技術分野】
【０００１】  本発明はｐＨ１１．０以上の高濃度であり未分解食塩濃度ゼロのアルカリ性電解水と有機肥料のみを用いて、土壌改良を行いつつ、安全、安価、美味、高収穫型の生産方式の提唱であり、かつ農地の大きさや種類を選ばない方法でもある。数ｈａの露地、ハウス、そして植木鉢やプランターによる軒先栽培にも応用できる高収穫型の農産物生成技術に関する。
【背景技術】
【０００２】  従来農法は化学肥料、農薬に頼る化学農法と有機栽培等の自然農法に大別される。【０００３】  化学農法は戦後大部分の農家に採用され、高い生産性を上げてきたが、食の安全性、栄養分の減少、土壌の劣化、生産者の健康被害等の観点から改善が叫ばれてきた。【０００４】  食の安全や土壌改良を求めるならば、有機農法がベストであるとしての提案が行われている。しかし、有機農法は質が高くとも化学農法と比べて収穫量が少なく、手間がかかり高コストになるという問題を抱えている。そうした事により一部の消費者、生産者を除いて受け入れ難い欠点がある。
【先行技術文献】
【０００５】
【特許文献】
【特許文献】  特許公開２００７−１５２１５６
【０００６】  文献にはないが、自然農法として電気分解水による農法（電解水農法）も一部行われてきた。しかし、平成元年以降一時電解水農法は広がりを見せたが、電解水の中に分解されていない食塩（未分解食塩）が含まれていたため、使用後３〜４年で畑が塩害により使用不能となるなどの事件が西日本を中心に広がり、電解水は危険であるとの風評が生じた。
これによって一気に電解水農法は廃れる事となった。【０００７】  その後、未分解食塩のない電解水が開発され、部分的に電解水農法が行われるようになった。しかし▲１▼設備投資額が３００万円以上かかる事。  ▲２▼土壌改良に３年以上の年月が必要である事。  ▲３▼酸性電解水とアルカリ性電解水を交互に葉面散布する必要があり手間がかかる事。  ▲４▼竹粉など他の補助材と併用しないと効果が上がらない等の問題があり普及しなかった。
【発明の概要】
【発明が解決しようとする課題】
【０００８】  現在、農業に必要とされる理想要件は次の７項目である。
▲１▼単位面積当りの収穫量が多い事。
▲２▼安全、安心な作物である事。
▲３▼作業が簡単であり、かつ作業者に農薬等の健康被害がない事。
▲４▼食感が良く、美味であり、栄養価が高い事。
▲５▼生産価格を安くできる事。
▲６▼場所を選ばないで生産できる事。
▲７▼生産を行いながら土地改良を同時に出来る事。
【課題を解決するための手段】
【０００９】  上記農業に必要とされている理想要件を達成するためには、未分解食塩がゼロであり、かつ高濃度（ｐＨ１１．０以上）のアルカリ性電解水があれば可能である事が判明した。【００１０】  ▲１▼ｐＨ１３．０以上１３．５以下の高濃度電解水は当社製品として既に出回っている。（特許第５３６６０６２号参照）
この電解水を農地近郊にある地下水、水道水にて所定の濃度に希釈して使用する。
希釈する水は原則６０ｍｇ／ｋｇ（ｐｐｍ）以下の軟水が良いが、塩分が含まれていない事を条件に硬水でも良い。
▲２▼希釈した高濃度アルカリ性電解水（ｐＨ１１．０〜１１．８）に種を１〜１０時間浸漬する。
▲３▼希釈した高濃度アルカリ性電解水（ｐＨ１２．０〜１２．５）に有機肥料（熟成させた鶏糞、牛糞やクラゲ、油かすなど）を混ぜ合わせ、種をまく前に土壌へ散布する。（土１ｋｇ当り１Ｌ以上）
▲４▼土壌を高アルカリ性電解水で変質する方法（▲３▼）及び種を高アルカリ性電解水に浸漬させる方法（▲２▼）を伴用する事が望ましいが、種の浸漬法、土壌への散布法のどちらか一方でも良い。
▲５▼通常、葉面散布も行う。葉面散布にはアルカリ性電解水（ｐＨ１１．５前後）を用いるのが望ましいが、水道水、地下水（ただし未分解食塩濃度が１００ｐｐｍ以下）でもかまわない。
【発明の効果】
【００１１】  実験の結果［０００８］の解決しようとする課題は全てクリアーできる事が明らかになった。
何故このような奇跡的な現象がおこるのかについては、今後共同研究を行う大学によって解明、発表を行う予定である。
【実施例】
【００１２】  ▲１▼麦の種をｐＨ１１．０からｐＨ１１．８のアルカリ性電解水に８時浸漬させた後、１ｈａの露地に撒き、水と肥料の散布は一切せず、自然の状態に育成した結果、従来農法と比較し、２倍強の収穫が得られることが現時点で確実になった。（場所はモンゴルの実験農場。本年５月播種、９月末に収穫予定）
▲２▼有機肥料を混合したｐＨ１２．０〜１２．５の電解水を土１ｋｇに対し１Ｌの割合で、９０ｍ２のハウス内に散布し、キュウリ、トマト、ホウレン草、ジャガイモの種を捲き収穫した結果、現行農法と比較し何れも単位面積当たり１．５倍の収穫がえられた。
▲３▼キュウリを０．６ｍ２のプランターで［００１０ー▲３▼］の方法により栽培した結果６００本（約１２０ｋｇ）が実り、単位面積当たりの収穫量としては驚異的であった（１本当たりの長さは２０ｃｍ重量２００ｇ程度で従来農法と比較し３倍強の収穫となっている。
（２０１４年６月１９日（種付け）〜２０１４年８月２１日）
【発明を実施するための形態】
【００１３】  ▲１▼種をｐＨ１１．０〜１１．８の高濃度アルカリ性電解水（ｐＨ１３．０を水道水、地下水で希釈）に１〜１０時間浸漬する。
▲２▼ｐＨ１２．０〜１２．５の高濃度アルカリ性電解水（ｐＨ１３．０を水道水、地下水で希釈）と有機肥料を混合し、土壌に種付前に散布する。
▲３▼収穫前にｐＨ１１．５の高濃度電解水（ｐＨ１３．０を水道水、地下水で希釈）を数回葉面又は根元に散布する。
(57)【要約】      （修正有）【課題】寿司を食べる時には、小皿に入っている醤油に寿司（にぎりともいう）を浸けて食べるか、寿司に醤油を垂らして食べるかしている。何れも醤油をつけすぎて、塩辛い寿司を食べることが多く、醤油をつけすぎると、塩分の過剰摂取となり、健康上問題がある。そこで、常に適正な量の醤油を寿司につけて食べることができる方法を提供する。【解決手段】醤油が入ったスプレーから醤油をにぎりの上にスプレーして食べる、醤油を食べ物へつける方法。【選択図】図２
2016042832.tif 000002
【特許請求の範囲】
【請求項１】
寿司に醤油をつけて食べる場合において、醤油が入ったスプレーから醤油をにぎりの上にスプレーして食べることを特徴とする醤油を食べ物へつける方法。
【発明の詳細な説明】
【技術分野】
【０００１】
本発明は寿司等に醤油を適正に付ける方法に関する。
【背景技術】
【０００２】
従来、寿司を食べる時には、小皿に入っている醤油に寿司（にぎりともいう）を浸けて食べるか、寿司に醤油を垂らして食べるかしている。図１は醤油をつけて寿司を食べる様子を示す図である。手１の人差し指３，中指，薬指と親指２で寿司をつまみ、皿６に入れてある醤油７に寿司を浸して食べる。寿司１０に示すように、ねた５としゃり４からなる。つまり、しゃり４の上にねた５を載せてある。
【発明の概要】
【発明が解決しようとする課題】
【０００３】
前述した寿司の食べ方は、何れも醤油をつけすぎて、塩辛い寿司を食べることが多い。醤油をつけすぎると、塩分の過剰摂取となり、健康上問題がある。具体的には高血圧となったり、胃がんになりやすいという問題がある。本発明はこのような課題に鑑みてなされたものであって、常に適正な量の醤油を寿司につけて食べることができる方法を提供することを目的としているまる
【課題を解決するための手段】
【０００４】
請求項1記載の発明は、寿司に醤油をつけて食べる場合において、醤油が入ったスプレーから醤油をにぎりの上にスプレーして食べることを特徴とする。
【発明の効果】
【０００５】
本発明によれば、適切な量の醤油をにぎりにつけることができるので、塩辛い寿司を食べることがなくなり、美味しい寿司を食べることができ、且つ健康にもよい。
【図面の簡単な説明】
【０００６】
【図１】従来の寿司を食べる様子を示す図
【図２】本発明の実施例１を示す図
【図３】本発明の実施例２を示す図
【図４】本発明の実施例３を示す図
【発明を実施するための形態】
【０００７】
以下、図面を参照して本発明の実施例を詳細に説明する。
図２は本発明の一実施例を示す図である。図１と同一のものは、同一の符号を付して示す。図は寿司１０に醤油スプレーから醤油を噴射させ、寿司１０に醤油を塗布している状態を示す図である。図において、１０は寿司（にぎり）で、しゃり４の上にねた５が乗っている。この状態で、醤油スプレー１１から寿司１０に醤油をスプレーする。
６は寿司１０を乗せている皿である。この状態で図に示すように、手１で醤油スプレー１１から寿司１０に醤油をスプレーする。本発明によれば、寿司１０にま
このように、醤油が均一に塗布された寿司１０は、図２に示すように皿６から寿司１０を掴んで食べられることになる。
本発明によれば、醤油がどっぷり浸かることがなく均一に醤油がついているので、丁度よい濃さの寿司を美味しく食べることができる。ここで、醤油スプレー１１の醤油が無くなってきたら、補充すればよい。醤油スプレー１１は、既に公知のものを用いることができる。
【０００８】
図３は本発明の実施例２を示す図である。この実施例では、テーブルの上においたスプレー２０から醤油をにぎりに噴射させるようにしたものである。
図において、２０は醤油を噴射するスプレーである。スプレー２０の中には所定量の醤油が入れてある。２１は醤油を吸い上げる管、２２はスプレー２０に圧縮空気を入れるベローズである。２３はベローズ２２と接続される噴射用管である。このように構成されたスプレー２０において、スプレー２０の上部に設けた押しボタン１４を矢印方向に例えば親指２で押すと、ベローズ２２によりスプレー２０内の圧力が高まり、醤油を管２１から管２３に押し出す。この結果、皿６に乗せられた寿司１０に醤油がスプレーされ、均一に醤油がかかることになる。このような構成にすると、図２に示す場合と異なり、手が醤油で汚れることがなくなる。図３では押しボタン１４を親指で押す場合を例にとって示したが、本発明はこれに限るものではなく、他の指や掌で押すようにしてもよい。
図４は本発明の実施例３を示す図である。透明な容器３０には所定量の醤油３１が入っている。この状態で、人が押しボタン３２を矢印方向に押すと、管３３が伸縮し、醤油３１には圧力が加わり、管３４から上昇した醤油は、管３５を経て出口３６から噴射される。この結果、図示しない寿司に均一に醤油がスプレーされることになる。
【産業上の利用可能性】
【０００９】
本発明は寿司に限るものではなく、醤油を薄く且つまんべんなく付ける食品全てに使用することができる。
【符号の説明】
【００１０】
1  手
２  親指
３  人差し指
４  しゃり
５  ねた
６  皿
７  醤油
１０  寿司
１１  醤油スプレー
２０  醤油スプレー
２１  管
２２  ベローズ
２３  管
３０  容器
３１  醤油
３２  押しボタン
３３  管
３４  管
３５  出口
【図１】
2016042832.tif 000003
【図２】
2016042832.tif 000004
【図３】
2016042832.tif 000005
【図４】
2016042832.tif 000006
(57)【要約】【課題】汁物の蕎麦、うどん、ラーメン等に一味唐辛子、七味唐辛子、粉胡椒を入れても、直ぐに丼の底に沈んでしまい風味を味会うことができない。【解決手段】汁物の蕎麦、うどん、ラーメン等に入れる一味唐辛子、七味唐辛子、粉胡椒を３分から１０分程度沈まないように加工する事で食べ終わるまで風味を味わうことができる。（一般的にそば、うどん、ラーメン等食べ終わる時間を３分から１０分とする。）【選択図】なし【特許請求の範囲】
【請求項１】
一味唐辛子、七味唐辛子、粉末胡椒を3分から１０分程度沈まないように加工する事。
【発明の詳細な説明】
【発明の概要】
【発明が解決しようとする課題】
【０００１】
汁物の蕎麦、うどん、ラーメンなどに一味唐辛子、七味唐辛子、粉胡椒を入れても直ぐに沈んでしまう。
【課題を解決するための手段】
【０００２】
一味唐辛子、七味唐辛子、粉胡椒などを３分から１０分程度沈まないように加工する。
(57)【要約】【課題】書見台とともにノパソコンを使うとき、使いやすいように書見台をディスプレイの上部に取り付けられるようした書見台を提供する。【解決手段】書見台の両端に複数の凹凸（２）を設け、凹凸（２）よりも下の位置に書見台をディスプレイ（１０）に固定するためにクリップＡ（５）をつけ、さらに、用紙（９）を固定するクリップＢ（７）の部分を分離して移動できるようにし、この部分に渡し棒（８）を設けたことを特徴とする。【選択図】図３
2016042343.tif 000002
【特許請求の範囲】
【請求項１】
書見台の固定板（１）の両端に複数の凹凸（２）を設け、書見台をディスプレイ（１０）に固定するためのクリップＡ（５）をつけ、用紙（９）を固定するクリップＢ（７）の部分を固定板（１）とは別に移動板（６）として設け、渡し棒（８）を設けたことを特徴とする書見台。
【発明の詳細な説明】
【技術分野】
【０００１】  この発明は、パソコンのディスプレイの上部に取り付ける書見台に関するものである。
【背景技術】
【０００２】  従来、パソコンを使用するときに併用される書見台は、パソコンの側面に置かれる場合が多かった。（特許文献１参照）
【先行技術文献】
【特許文献】
【００３】
【特許文献１】  特開平５−８０８８１
【発明の概要】
【発明が解決しようとする課題】
【０００４】  これは、次のような欠点があった。
まず、書見台のスペースを確保する必要があった。また、ディスプレイから書見台の資料に目を移すときに、注目している箇所を再確認する必要もあった。
本発明は、以上のような欠点をなくすためになされたものである。
【課題を解決するための手段】
【０００５】  書見台の固定板（１）の両端に複数の凹凸（２）を設け、書見台をディスプレイ（１０）に固定するためのクリップＡ（５）をつける。
次に、用紙（９）を固定するクリップＢ（７）の部分を固定板（１）とは別に移動板（６）として設け、渡し棒（８）を設ける。
【発明の効果】
【０００６】  パソコンのディスプレイの上部に取り付けるのでスペースを全くとらない。
クリップで簡単に取り外しができる。
パソコン使用者の顔の動きが左右ではなく、上下となり、体にとって楽である。
用紙を上下に移動できるので、必要に応じて適当な高さに調整できる。このことにより、資料の内容を転記するときなどには、ディスプレイの上部の縁がアンダーラインの機能を果たし、注目している箇所を楽に確認できる。
【図面の簡単な説明】
【０００７】
【図１】  本発明の固定版の斜視図である。
【図２】  本発明の移動板の斜視図である。
【図３】  本発明をノートパソコンに固定して使用したときの斜視図である。
【発明を実施するための形態】
【０００８】  以下、本発明の実施の形態について説明する。
書見台の固定板（１）の両端に複数の凹凸（２）を両端が左右対称になるようにつける。
さらに、両端の下部には凹凸（２）のない部分を設け、底面（３）に対して高い状態にして段差（４）をつける。
また、段差（４）の上部の横にクリップＡ（５）をつける。クリップＡ（５）は実施例の場合においては接着剤で底面（３）に固定されたフック（１１）に固定されている。
次に、用紙（９）を取り付ける移動板（６）にクリップＢ（７）と渡し棒（８）を設ける。
本発明は、以上のような構造である。
本発明を使用するときは、移動板（６）の渡し棒（８）を固定板（１）の凹凸（２）に架ける。
段差（４）があるので、固定板（１）とディスプレイ（１０）の裏面に隙間ができ、用紙（９）の上下移動はスムーズである。
【符号の説明】
【０００９】  １  固定板
２  凹凸
３  底面
４  段差
５  クリップＡ
６  移動板
７  クリップＢ
８  渡し棒
９  用紙
１０  ディスプレイ
１１  フック
【図１】
2016042343.tif 000003
【図２】
2016042343.tif 000004
【図３】
2016042343.tif 000005
(57)【要約】【課題】  ケース部材の固定位置を制約することなく且つ照明部材専用の固定部材を要することなく、照明部材を固定する。【解決手段】  被照明部材１０と、発光素子２１と、導光体３０と、第一のケース体４１及び第二のケース体４２からなり発光素子２１及び導光体３０を収容するケース部材４０と、第二のケース体４２を第一のケース体４１に固定する固定部材５０と、を備え、導光体３０を、固定部材５０によりケース部材４０に固定する。【選択図】  図１
2016042153.tif 000002
【特許請求の範囲】
【請求項１】
被照明部材と、
前記被照明部材を透過照明する照明光を発する発光素子と、
前記照明光を前記被照明部材に導く導光体と、
第一のケース体及び第二のケース体からなり前記発光素子及び前記導光体を収容するケース部材と、
前記第二のケース体を前記第一のケース体に固定する固定部材と、
を備え、
前記導光体は、前記固定部材により前記ケース部材に固定されていることを特徴とする表示装置。
【発明の詳細な説明】
【技術分野】
【０００１】
本発明は、導光体を備えた表示装置に関するものである。
【背景技術】
【０００２】
従来より、導光体を介して、液晶表示素子等の被照明部材を照明する表示装置が種々提案されており、例えば特許文献１に開示されている。斯かる表示装置は、発光素子が発した照明光を導光体にて被照明部材の背面に導いて、被照明部材を透過照明するものである。
【先行技術文献】
【特許文献】
【０００３】
【特許文献１】特開２０１２−７３０５７号公報
【発明の概要】
【発明が解決しようとする課題】
【０００４】
しかしながら、導光体をホルダに螺子締めするため、導光体専用の螺子が必要であった。また、ホルダと干渉しないようにケース部材の螺子締め位置を配置する必要があるため構造が複雑になり、表示装置の開発、製造コストを削減することが課題となっていた。
【０００５】
本発明は、ケース部材の固定位置を制約することなく且つ導光体専用の固定部材を要することなく、導光体を固定することができる表示装置を提供するものである。
【課題を解決するための手段】
【０００６】
本発明は、被照明部材１０と、前記被照明部材１０を透過照明する照明光を発する発光素子２１と、前記照明光を前記被照明部材１０に導く導光体３０と、第一のケース体４１及び第二のケース体４２からなり前記発光素子２１及び前記導光体３０を収容するケース部材４０と、前記第二のケース体４２を前記第一のケース体４１に固定する固定部材５０と、を備え、前記導光体３０は、前記固定部材５０により前記ケース部材４０に固定されていることを特徴とする。
【発明の効果】
【０００７】
ケース部材の固定位置を制約することなく且つ導光体専用の固定部材を要することなく、導光体を固定することができる。
【図面の簡単な説明】
【０００８】
【図１】本発明の一実施形態を示す表示装置Ａの主要断面図。
【図２】表示装置Ａのシステム構成を示すブロック図。
【発明を実施するための形態】
【０００９】
以下、添付図面に基づいて、本発明の一実施形態を説明する。
【００１０】
表示装置Ａは、液晶表示素子１０と、回路基板２０と、導光体３０と、ケース部材４０と、螺子５０と、中ケース６０と、反射シート７０と、表示板８０で主に構成され、車両のインストルメントパネルに設けられる。
【００１１】
液晶表示素子１０は、透明電極が形成された一対のガラス基板に液晶を封入した液晶セルの前後両面に偏光板を貼着した液晶パネルからなるものである。回路基板２０は、外部コネクタが実装されており、車両側と電気的に接続される。表示装置Ａは、外部コネクタ及び回路基板２０上のインタフェース回路２２を介して電源や車両情報に関する信号等を入力し、これらの信号等を制御素子２３を含む表示駆動回路２４、照明駆動回路２５により処理を行い、液晶表示素子１０にて所定の表示を行い、発光素子２１にて所定の照明光を発することができる。
【００１２】
透明樹脂からなる導光体３０は、受光部３１と、導光部３２と、固定部３３とから構成される。導光体３０の固定部３３には貫通孔が設けられており、この貫通孔を螺子５０が貫通している。中ケース６０は、白色樹脂からなる。中ケース６０の上部には、反射シート７０、導光体３０の導光部３２、液晶表示素子１０が順次載置されている。反射シート７０は、アルミ蒸着やクロムメッキ等が施された合成樹脂からなる。導光体３０は、発光素子２１が発した照明光を受光部３１により受光し、導光部３２により液晶表示素子１０の背面に導く。導光体３０の導光部３２により液晶表示素子１０の背面に導かれた照明光は、反射シート７０により反射され、液晶表示素子１０を透過照明する。
【００１３】
ケース材４０は、上ケース４１及び下ケース４２で構成される。上ケース４１は合成樹脂材を適用することができ、透光性樹脂からなる透光性カバー４１ａがインサート成型される。下ケース４２は、合成樹脂材を適用することができ、表示板８０の組み付け位置を開口し、下ケース４２の内側に液晶表示素子１０、回路基板２０を保持することができる。導光体３０の固定部３３は、上ケース４１と下ケース４２とで挟持されている。
【００１４】
表示板８０は合成樹脂材からなり、液晶表示素子１０に対応する箇所を開口し、指標部を備えていても良い。表示板８０は下ケース４２に設けたフックなどの固定手段を用いて保持される。
【００１５】
上ケース４１，下ケース４２には、互いを固定するための複数の固定部が設けられる。上ケース４１の複数の固定部はボス部であり、下ケース４２の複数の固定部は貫通孔である。上下ケースに設けられた複数の固定部は夫々螺子５０により固定される。
【００１６】
導光体３０の固定部３３に貫通孔を設け、上下ケース４１，４２の複数の固定部のうち少なくとも一箇所に対応させることにより、上下ケース４１，４２を固定する螺子５０で導光体３０を固定することができる。
【００１７】
このような構成によって、比較的簡単な構成で、導光体専用の螺子を用いることなく導光体３０を螺子締めすることができる。
【００１８】
したがって、ケース部材の固定位置を制約することなく且つ導光体専用の螺子を要することなく、導光体を固定することができる。
【００１９】
なお、本発明は、上述した実施形態に限定されるものではなく、種々の変形が可能である。例えば、被照明部材は液晶表示素子であったが、表示板８０に設けた被照明部であっても良い。また、上ケース４１の固定部を貫通孔、下ケース４２の固定部をボス部として上ケース側から螺子締めしても良い。
【符号の説明】
【００２０】
１０    液晶表示素子（被照明部材）
２０    回路基板
２１    発光素子
２２    インタフェース回路
２３    制御素子
２４    表示駆動回路
２５    照明駆動回路
３０    導光体
３１    受光部
３２    導光部
３３    固定部
４０    ケース部材
４１    上ケース（第一のケース体）
４１ａ  透光性カバー
４２    下ケース（第二のケース体）
５０    螺子（固定部材）
６０    中ケース
７０    反射シート
８０    表示板
【図１】
2016042153.tif 000003
【図２】
2016042153.tif 000004
(57)【要約】      （修正有）【課題】同期型コアレスリニアモータで、モータの発熱を効率良く放熱したい場合には、コイルを支持する金属製フレームに冷却液を通し間接的にコイルを冷却する方法が採られているが、冷却効率が低い。また、可動子と固定子の間隙を広げるとモータ効率が低下するため、コイル部分の厚さ方向寸法を大きくすることは避けたい。【解決手段】コイル巻線をぐるりと取り囲むように冷却液を通す小径配管を通し、コイルの直近部を効果的に冷却可能とした。冷却液配管はコイル巻線厚さと同等の管外径とし、矩形断面管を使用することもある。コイルの発熱は強制循環液冷構造により装置外部の熱交換機を用いて放熱する。配管材料には耐食性と電磁界への影響を小さくするため非磁性のオーステナイト系ステンレス鋼を使用する。冷却液配管は継ぎ目の無い一本の配管を曲げ加工して流路を形成する。【選択図】図１
2016042755.tif 000002
【特許請求の範囲】
【請求項１】
冷却液の流路となる配管は、コイル巻線の周囲をぐるりと取り囲むように予め成型した配管を通すことにより、発熱源であり直近を冷却することが難しかったコイルを効果的に冷却可能とした。
【請求項２】
冷却液配管は厚さ方向の寸法増加を抑えるために、コイル巻線厚さ寸法と同等以下の外形とする。
コイルとの伝熱面積を増やすために配管断面は円形状だけではなく矩形断面管を使用することもある。
【請求項３】
配管材料には耐食性とモータ電磁界への影響を小さくするため非磁性のオーステナイト系ステンレス鋼を使用する。
【請求項４】
継ぎ目のない一本の配管を予め成型して流路を形成することにより、樹脂モールドされたコイル内部での冷却液漏れを極力防止可能とする。
【請求項５】
コイルをモールドする樹脂で冷却液配管を固定することにより、配管固定用部品を不要とする。
併せて配管を樹脂補強材として利用することでコイルユニットの剛性が向上する。
【請求項６】
コイル直近に冷却液配管を配置し効率良くコイルの発熱を低減させることにより、定格推力の向上と周囲への熱影響の排除、
及び熱による機械的変位を極力低減させることを可能とした。
【請求項７】
金属フレームに流路を設けコイルを間接冷却する方式ではガンドリル加工によって流路の深穴加工を行うため金属フレーム長に制限があるが、
金属管を曲げ加工して流路を形成する方式では金属フレームの長さの制限に自由度が広がる。
【発明の詳細な説明】
【技術分野】
【０００１】
本発明は、コアレスリニアモータの電磁巻線コイル（以下コイル）を、効果的かつコンパクトに液体で冷却する方法に関するものである。
【背景技術】
【０００２】
一般的にコアレスリニアモータの液冷方式としてはコイルを支持する金属製のフレームに流路を設けてコイルを間接的に冷却する方法が採られている。
しかし、それでは冷却効率が低いためコイル直近に流路を設けて効果的に冷却する方法が求められている。
【発明の概要】
【０００３】
永久磁石と組合せて推力を発生する同期型コアレスリニアモータのコイルユニットを効果的かつコンパクトに冷却する液冷方法である。
【発明が解決しようとする課題】
【０００４】
コアレスリニアモータで大きな定格推力が必要な場合や周囲環境に与える熱的影響を極力抑えたい場合には、コイルの発熱を低く抑えなければならない。
そこで、発熱源であるコイル直近に冷却液を通すことにより効果的にコイルを冷却可能な構造を提供する。
【課題を解決するための手段】
【０００５】
本発明は、コイル巻線の周囲に冷却液の流路となる配管を配置して液冷することによりコイルの発熱を効果的に冷却液へ伝達する構造を提供する。
併せて、コイル巻線厚さ方向寸法と同等の管外径を使用することで、モータの厚さ方向の寸法増加を非常に小さく抑えた。
【発明の効果】
【０００６】
本発明は、コイル巻線の周囲を取り囲むように冷却液の流路となる配管を配置する構造とすることで、発熱源であるコイル巻線を効率良く冷却することを可能とした。
モータの厚さ方向の寸法増加が少ないためモータ性能とモータ効率の低下を少なくできた。
冷却液流路は1本の金属管を曲げて製作するため、モータ内部での冷却液漏れの危険がなくなった。
【図面の簡単な説明】
【０００７】
【図１】図１は冷却液管の配置方法を示した図面である。
【図２】図２はコイル、冷却液管、金属フレーム、配線及びモールド樹脂の形状と構造を立体的に示した図面である。
【発明を実施するための形態】
【０００８】
コイルの巻線の周囲を取り囲むように冷却液の流路となる配管を配置する構造とする。
コイル、冷却液配管、配線は、樹脂モールドにより金属製フレームと一体化される。
【図１】
2016042755.tif 000003
【図２】
2016042755.tif 000004
(57)【要約】      （修正有）【課題】趣味においてマニア同志を紹介するビジネスを提供する。【解決手段】クラッシク音楽、読書、絵画、歴史。各項目のマニア度合を記入してもらい、友達を紹介する。記入文字を１０００文字以上と多く設定することで詳しいマニアを厳選する。互いに記載事項を一覧でき、友達のリクエストを送信することができる。この４つの項目は芸術として共通の要素を含み、多くの知者が共有する趣味になる。結婚相談所にプロフィールを提出するように、このサイトに趣味のプロフィールを詳しく書き記し、マニア同志を紹介する。【選択図】なし【特許請求の範囲】
【請求項１】
個人の趣味のマニア知識を記入し、知人を紹介するビジネス
【発明の詳細な説明】
【発明の詳細な説明】
【技術分野】
【０００１】  本発明は、個人情報に基づいて、次の分野の同朋を紹介する新たなサービス業になる。クラッシク音楽、読書、絵画、歴史。
【背景技術】
【０００２】  クラッシク音楽が好きでも、同朋を見つけるためには合唱に参加したりする以外の方法があまりなかった。読書、絵画、歴史も同様のことが言える。【０００３】  結婚紹介のビジネスがあるように、趣味においてマニア同志を紹介するビジネス。
【課題を解決するための手段と実施の形態】
【０００４】  マニア度合を記入してもらい、友達を紹介するもの。記入文字を多く設定することでマニアを厳選する。互いに記載事項を一覧でき、友達のリクエストを送信することができる。
クラッシクの具体的記入例。
月に一度、名古屋フィルの定期演奏会に参加。現在マーラーの全曲解釈を試みている。ピアノ歴３年。毎年年末にチャイコフスキーのくるみ割り人形を鑑賞。ニューヨーク、モスクワ、ロンドン、香港で４年連続鑑賞している。特に好きな曲はベートーベン交響曲７番。何度聴いてもいい。好きな指揮者はカラヤン。多忙な私は、やや速い方がいい。
（このように例えば１０００〜２０００文字記入してもらう。）
【発明の効果】
共感は歓喜を増し、悲嘆を軽減する。このようなコミュニティーを増やしたい。
(57)【要約】      （修正有）【課題】認知症や寝たきりの人を初期の段階で確認し、行方不明などを少なくし、初期の変化を早く家族や友人が判断することが可能な表示装置を提供する。【解決手段】表示装置は、反射シート材を使用した文字板に１〜１０桁位までの行先を書いたものに自分の行先を磁石を利用したマーク棒を合わせる簡単なマークシート方式でその文字板と行先やその行為の変化によって判断し、専門医の診察を受ける。【選択図】図１
2016024457.tif 000002
【特許請求の範囲】
【請求項１】
１０〜１５ｃｍ位の大きさの反射シート材を使用した文字板に１０桁位の行き先を書いたものに磁石を利用したマーク棒を合わせるマークシート方式で、使用方法としては行き先と文字盤の行き先と合っているか、又帰ったら在宅に合わせる簡単なマークシート方式である。行先と行先マークとの違い、又マークシートを合わせるその行動を忘れが多い場合は要注意。専門医に診察してもらう。
【発明の詳細な説明】
【技術分野】
【０００１】  本発明は認知症や寝たきりの人を初期の段階で確認し、行方不明者などを少なくし、又専門医に診察させる。忍者君は初期の変化を素早く家族や友人に見分ける基準に関するものである。
【背景技術】
【０００２】  従来は本人の行動（行方不明になってから）から判別していた。
【先行技術文献】
【特許文献】
【０００３】
【特許文献】  特開
【発明の概要】
【発明が解決しようとする課題】
【０００４】  これは次の様な欠点があった。
（イ）病気の進行状態が一般の人にわからない。基準がない。
（ロ）本人の同意、特に一人住まいの方の同意が難しいので基準を作り、それを口実に専門医に診察を受けさせる。
本発明は以上の様な病気の基準を設けて欠点を解決するものである。
【課題を解決するための手段】
【０００５】  忍者君は１０ｃｍ〜１５ｃｍ位の大きさに反射シート材を使用した文字板に１０桁位の行先を書いたものに磁石を利用したマーク棒を合わせるマークシート方式で、使用方法は簡単である。行き先と数字やその行為の変化によって判断する。行先マークと行動の違い、又その行為の忘れるのが多い場合は要注意。専門医に診察してもらう。
【発明の効果】
【０００６】  本発明は次のような効果が期待出来る。
認知症や痴呆、寝たきりなど忍者君の変化で早目に専門医の治療が受けられる。特に１人暮らしの場合には友人、公民館長、民生委員などと相談し気を付けられる。又、自然災害の場合など避難の完了か否か伝言板の役割も果たす。
【図面の簡単な説明】
【０００７】
【図１】  本発明の平面図である
【図２】  本発明の側面図である
【発明を実施するための形態】
【０００８】  本発明は反射シートを使用文字盤に使い１０桁位の行先（病院、買い物など）を記入して、磁石を利用したマーク棒で行先の番号を合わすマークシート方式の簡単な行為である。
使用方法として、本品を屋外の見易い玄関、勝手口ポスト付近のいつでも外部から直接見れる場所に取り付け、反射シート（夜間でもすぐ位置がわかる）を文字板に１０桁位の行先を書いた表にマーク棒を当てるだけである。本人自身がマーク棒で操作する。帰ったら在宅に返す。本人の行先とマーク表が違っていたり、マーク棒を操作する行為を忘れたり、短期間に多い場合は要注意である。又、自然災害などの場合（夜間）反射シートで早く確認（避難の完了か否か）が出来る伝言板の役目を果たす。特に１人暮らしの方などの場合は、近所の方、公民館長、民生委員などに協力を求め、専門医に診察してもらう。
本発明は以上のような構造である。
【符号の説明】
【０００９】〔１〕  反射シート材
〔２〕  行先記入
〔３〕  磁石使用
〔４〕  マークシート方式
【図１】
2016024457.tif 000003
【図２】
2016024457.tif 000004
(57)【要約】【課題】提灯をＬＥＤ化するにあたり、お祭りなどに使われる、伝統文化財などの提灯を加工したり、傷つける事も無く、火災の心配および、収納性も良くすることが期待できる。収納可能な蝋燭用などの提灯に追加工の必要無く、取り付けが可能なＬＥＤ照明器。【解決手段】ＬＥＤ基板を上輪部分に載せ、蝋燭立ての先端部分を利用して反射板を取り付けるの構成により、追加工の必要なく、従来からある蝋燭用提灯の内部（火袋）がまんべんなく明るくなり、また、ＬＥＤ基板および、反射板装着したまま折りたたみ収納可能なＬＥＤ照明機器を提供する。【選択図】図１
2016024993.tif 000002
【特許請求の範囲】
【請求項１】
従来の蝋燭用提灯において、追加工無く、本発明品を装着することにより、
ＬＥＤの直接光が拡散し、提灯内部が均等に明るく
そのまま折りたたみ収納可能な、提灯用ＬＥＤ照明機器。
【発明の詳細な説明】
【技術分野】
【０００１】
本発明は、従来から伝統的なお祭りなどに使われる提灯のＬＥＤ化に関する。
【背景技術】
【０００２】
従来の方式では、電球または、電球相当のＬＥＤランプを提灯の上部から垂らせて
点灯させる必要があり、提灯を折りたたむ際に、取り外す必要があった。
また、提灯に追加工してＬＥＤ化する必要があった。
【先行技術文献】
【非特許文献】
【０００３】
【非特許文献１】登録実用新案第３１６４４２８号
【発明の概要】
【発明が解決しようとする課題】
【０００４】
この発明は、提灯に特別な追加工の必要なく、従来からある祭りなどに使われる
蝋燭用提灯に蝋燭立てに反射板を装着し、
ＬＥＤを実装した基板を上輪の上に載せるだけで、提灯全体が明るく、実用的に使える上、収納する際は、そのまま折りたたみが可能となる。
【課題を解決するための手段】
【０００５】
本方式では、ＬＥＤ基板と、反射板の基本構成を作り、従来の蝋燭用の提灯に適用して提供する。
【発明の効果】
【０００６】
本発明によれば、伝統的に受け継がれた、祭りなどに使用する従来の蝋燭用提灯に、
追加工を施すこと無く、ＬＥＤ照明化ができる。反射板を採用することにより、
ＬＥＤの直接光の拡散を促進し、火袋の乱反射による光の拡散により提灯全体の明るさの演出を期待できる。
また、提灯収納時に、蝋燭や、電球などを提灯内部に入れない為に、ＬＥＤ基板や反射板を外す必要なくそのまま折りたたみ収納することも可能となる。
【図面の簡単な説明】
【０００７】
【図１】蝋燭立てには、蝋燭の代わりに反射板が取付けられるようにし、提灯の上部の上輪部分に、ＬＥＤ基板を搭載した木板を載せてはめ込む。また、収納時に火袋をたたんだ際に、上輪と下輪に、ＬＥＤ基板と反射板が納まるように配置する。
【発明を実施するための形態】
【０００８】
ＬＥＤ基板を取り付けた円形の木板を上輪の縁に載るように作り、反射板は、蝋燭立ての先端がはめ込まれるように製作する。
【実施例】
【０００９】
図１は、一般的な蝋燭提灯に取り付けた状態であり、右半分が提灯の内部状態を表す。
【産業上の利用可能性】
【００１０】
お祭りなどに使われる、伝統文化財などの提灯を加工したり、傷つける事も無く、
火災の心配および、収納性も良くすることが期待できる。
【符号の説明】
【００１１】
１：火袋、２：上輪、３：電源ケーブル４：吊手
５：ＬＥＤ基板、６：反射板 ７：蝋燭立て
【図１】
2016024993.tif 000003
(57)【要約】      （修正有）【課題】何種類か存在するペーパーフィルターの形を選ばず使用でき、かつそれぞれのペーパーフィルターの個性を生かした抽出が可能なコーヒードリッパーを提供する。【解決手段】内側が下方に縮小する楕円錐台形のコーヒードリッパー１の底部４の中心に大きな穴２を設け、それ以外に小さな穴３を何個か設ける。円錐形ペーパーの使用時は、大きな穴がペーパーを支えるとともに抽出口の役目を果たし、小さな穴が通気口の役割を果たす。それ以外のペーパーの使用時は、大きな穴、小さな穴すべてが抽出口と通気口の役割を果たす。また、底部に設けた起伏ないし凸部５により、通気がしやすくなる。【選択図】図１
2016086898.tif 000002
【特許請求の範囲】
【請求項１】
陶磁器、ガラス、金属または樹脂からなり、内側が下方に縮小する楕円錐台形のドリッパーの底部の中心に直径11〜30mmの穴を有し、その穴の周囲に直径1〜10mmの穴を1〜12個有することを特徴とするコーヒードリッパー。
【請求項２】
底部に起伏ないしは凸部を1〜12個有することを特徴とする請求項１記載のコーヒードリッパー。
【発明の詳細な説明】
【技術分野】
【０００１】
この発明は、ペーパードリップにてコーヒーを抽出する際使用するコーヒードリッパーに関する。
【背景技術】
【０００２】
従来から、コーヒーを抽出する方法のひとつとして、ペーパードリップは広く親しまれている。コーヒードリッパーの形によって抽出できるコーヒーの表現が変わってくることから、円錐形、台形など何種類もの形が存在する。円錐形のコーヒードリッパーを使い浅煎りのコーヒー豆をドリップすると、コーヒー豆が持っている個性をしっかり表現されたさわやかなコーヒーを抽出でき、台形のコーヒードリッパーを使い深煎りのコーヒー豆をドリップすると、しっかりとコクとうまみが感じられる重厚なコーヒーを抽出することができる。どちらが優れているということではなく、個々人の嗜好、そのときの気分によりコーヒードリッパーは使い分けられ、楽しまれている。
【０００３】
それに伴い、市販されているペーパーフィルターもそれぞれのコーヒードリッパーの形に合わせた何種類かが存在する。そのため、自身の嗜好、気分に合ったコーヒー楽しむために、ペーパーフィルターに合わせて必ずコーヒードリッパーを用意しなければならず、何個もコーヒードリッパーを所有する必要があった。
【先行技術文献】
【非特許文献】
【０００４】
【非特許文献１】堀内隆志著  「コーヒーを楽しむ。ペーパードリップで淹れるおいしいコーヒー」主婦と生活社  ２０１３年
【非特許文献２】狩野知代  藤原ゆきえ共著  「新版  休みの日には、コーヒーを淹れよう。」書肆侃侃房  ２００８年
【発明の概要】
【発明が解決しようとする課題】
【０００５】
本案は、何種類か存在するペーパーフィルターの形を選ばず使用でき、かつそれぞれの形が有している個性をそのまま生かした抽出ができるコーヒードリッパーの提供を目的とする。
【０００６】
このコーヒードリッパーがひとつあれば、そのときの気分で気軽にペーパーフィルターだけを変更することにより、好みのコーヒーを楽しむことができるようになる。
【課題を解決するための手段】
【０００７】
本方式では、陶磁器、ガラス、金属または樹脂でできた内側が下方に縮小する楕円錐台形のコーヒードリッパーの底部の中心に直径11〜30mmの穴を有し、その穴の周囲に直径1〜10mmの穴を1〜12個有する。また、底部に起伏ないしは凸部を1〜12個有する。
【発明の効果】
【０００８】
円錐形フィルター、台形フィルター、ウェーブフィルターをすべて使用でき、それぞれのペーパーフィルターの個性を生かした抽出が可能なので、そのときの気分で気軽にペーパーフィルターだけを変更することにより、それぞれの美味しさのコーヒーを楽しむことができる。
【図面の簡単な説明】
【０００９】
【図１】本発明の一実施形態のコーヒードリッパーを示す縦断面図である。
【図２】コーヒードリッパーを示す正面図である。
【図３】円錐形ペーパーフィルターを使用したときの縦断面図である。
【図４】台形ペーパーフィルターを使用したときの縦断面図である。
【図５】本発明の一実施形態のコーヒードリッパーを示す斜視図である。
【図６】本発明の一実施形態のコーヒードリッパーを示す斜視図である。
【発明を実施するための形態】
【００１０】
この発明の一実施形態を、図面に示す。
【００１１】
円錐形ペーパーフィルターの使用時（図３）は、底部の中心の穴がペーパーフィルターを支えるとともに抽出口の役目を果たし、その穴の周囲の穴が通気口の役割を果たす。
【００１２】
それ以外のペーパーフィルターの使用時（図４）は、穴すべてが抽出口と通気口の役割を果たす。また、ウェーブフィルター使用時は、底部に設けた起伏により、通気がしやすくなる。
【符号の説明】
【００１３】
１    コーヒードリッパー本体
２    中心の穴
３    抽出口と通気口
４    底部
５    凸部
６    円錐形ペーパーフィルター
７    台形ペーパーフィルター
【図１】
2016086898.tif 000003
【図２】
2016086898.tif 000004
【図３】
2016086898.tif 000005
【図４】
2016086898.tif 000006
【図５】
2016086898.tif 000007
【図６】
2016086898.tif 000008
(57)【要約】【課題】  作物の被害を抑制するため、防蛾ネットは無被害果率１００％と効果は高いが、設置費用が高く、台風時には撤去しなければならない。防蛾灯は作物全てに光を照射することが難しく無被害果率は６０％程度である。超音波発振器は音波を発振する方向が３６０°全方向に出すことができないため、無被害果率は６５％程度である。【解決手段】  ３６０°の範囲に光を放射するＬＥＤ防蛾灯で光があたる農作物栽培圃場の照度を１ルクス以上にし、かつ前記圃場内部に向けて連続して音波を発する超音波発振器を併用することにより無被害果率は９０％以上になった。【選択図】図１
2016086804.tif 000002
【特許請求の範囲】
【請求項１】
３６０°の範囲に光を放射するＬＥＤ防蛾灯で光があたる農作物栽培圃場の照度を１ルクス以上にし、かつ前記圃場内部に向けて連続して音波を発する超音波発振器を併用してなる防蛾装置。
【発明の詳細な説明】
【技術分野】
【０００１】  本発明は、夜蛾から果樹などの作物被害を軽減する防蛾装置に関するものである。
【背景技術】
【０００２】  従来、果樹園や農地では夜蛾から作物の被害を抑えるため防蛾ネットや、防蛾灯を使用していた。防蛾灯は波長が５５０〜６５０ｎｍの分光放射エネルギーを持つ黄色の蛍光ランプやナトリウム灯が使用されていた。【０００３】  夜蛾は夜行性のため夜間に活動するが、昼間は殆ど活動を行わない。夜間防蛾灯を点灯させることにより１ルクス以上の明るさがあれば、夜蛾の行動を抑制することができる。【０００４】  また他の方法として間欠的に蝙蝠の音声を出す超音波発振器を使用することが提案されている。夜蛾にとって蝙蝠は天敵であるため、この超音波を感知すると忌避行動をとる。
【発明の開示】
【発明が解決しようとする課題】
【０００５】  しかし、作物の被害を抑制するため、防蛾ネットは無被害果率１００％と効果は高いが、設置費用が高く、台風時には撤去しなければならない。防蛾灯は作物に光を照射すると作物の影ができ、その影により作物全てに光を照射することが難しく無被害果率は６０％程度である。超音波発振器は音波を発振する方向が限定されてしまうため、音波が届かない作物は被害を受け、無被害果率は６５％程度である。
【課題を解決するための手段】
【０００６】  前記問題点を解決するため、本発明はＬＥＤを光源とし、３６０°の範囲に光を放射する防蛾灯で光があたる農作物栽培圃場の照度を１ルクス以上にし、かつ前記圃場内部に向けて連続して音波を発する超音波発振器を併用して夜蛾による作物の無被害果率を９０％以上にしたものである。
【発明の効果】
【０００７】  本発明によれば、作物、例えば桃などの果樹園に波長５００〜６００ｎｍの緑色のＬＥＤ防蛾灯と発振音波４０ＫＨｚ〜５０ＫＨｚの超音波発振器を設置して、桃の無被害果率を試験したところ無被害果率は９０％以上の効果があった。
【発明を実施するための最良の形態】
【０００８】  以下、図面に基づき本発明の実施の形態を説明する。【０００９】  図１は、本発明の実施例を示す緑色ＬＥＤ防蛾灯と超音波発振器を設置した防蛾装置のシステム図である。【００１０】  この防蛾装置は、四角の圃場３の各コーナーと中央に緑色ＬＥＤ防蛾灯１が、圃場３の各コーナーに内側に向かって連続して音波を発生する超音波発振器２が設置されている。【００１１】  緑色ＬＥＤ防蛾灯１は周囲３６０°に約５４０ｎｍの波長の光を圃場３の内部に照射している。圃場３の内部で栽培されている桃の木４に防蛾灯１の光が照射されると、光が照射されているところは１ルクス以上の照度があるが、桃の木４の影になった部分は１ルクス以下の照度になる。この影の箇所には夜蛾が飛来しやすいが、超音波発振器２が約４０ＫＨｚ〜５０ＫＨｚの音波をスピーカーで増幅して圃場３の内部に発振しているので、影になった箇所に夜蛾が飛来しなくなる。【００１２】  圃場３には桃の木４が植えられているが、緑色ＬＥＤ防蛾灯１のみ点灯させたとき、超音波発振器２のみを連続動作させたとき、本発明の緑色ＬＥＤ防蛾灯１を点灯させ、同時に超音波発振器２を連続動作させたとき、桃の木４の無被害実験結果は下表のとおりである。なお、緑色ＬＥＤ防蛾灯の代わりに黄色ＬＥＤ防蛾灯を使用しても同様の結果になり、多波長のＬＥＤ防蛾灯が使用できる。
2016086804.tif 000003
【００１３】  この結果より、緑色ＬＥＤ防蛾灯と超音波発振器の併用によりそれぞれの短所を補い、果樹などの作物被害が大幅に軽減される。
【図面の簡単な説明】
【００１４】
【図１】本発明の実施例を示す緑色ＬＥＤ防蛾灯と超音波発振器を設置した防蛾装置のシステム図。
【符号の説明】
【００１５】  １・・・緑色ＬＥＤ防蛾灯
２・・・連続して音波を発生する超音波発振器
３・・・圃場
４・・・桃の木
【図１】
2016086804.tif 000004